(57)【特許請求の範囲】
【請求項１】
散布装置に組み付ける回転センサ（Ｓ２）により検出される前記散布装置のビータ軸の回転数（Ｎ２）と、床コンベアの駆動用の油圧モータ（Ｍ）の作動を制御するコントローラ（ｃ）に組み込まれたマイコンに設定した散布装置のビータ軸が正常に作動するのに必要な最低の回転数の閾値（Ｎ３）とを、前記マイコンにより比較監視させて、前記回転センサ（Ｓ２）により検出されるビータ軸の検出回転数（Ｎ２）が前記マイコンに設定した設定閾値（Ｎ３）より大きくなった時点で、床コンベア駆動用の油圧モータ（Ｍ）の油圧回路に設けた電磁弁が開に作動して床コンベアの送り作動を開始するよう制御せしめて、作業開始時における散布装置の作動と床コンベアの送り作動とが、自動的に散布装置の作動→床コンベアの作動の順を守って行われるようにすることを特徴とするマニアスプレッダにおける散布装置と床コンベアの制御方法。
【請求項２】
散布装置には、それのビータ軸の回転数を検出する回転センサ（Ｓ２）を組み付け、その回転センサ（Ｓ２）を、床コンベアの駆動用の油圧モータ（Ｍ）の作動を制御するコントローラ（ｃ）に接続し、前記コントローラ（ｃ）のマイコンには、散布装置のビータ軸が正常に作動するのに必要な最低の回転数の閾値（Ｎ３）を設定するとともに、前記ビータ軸の検出回転数（Ｎ２）と前記ビータ軸の正常回転数の閾値（Ｎ３）とを比較監視して（Ｎ２）＞（Ｎ３）となった時点で、油圧モータ（Ｍ）の油圧回路に設けた電磁弁（ｓｖ）が開の位置に作動して床コンベアの送り作動が開始するようマイコンに組み込まれたプログラムに指令する比較回路を組み込み、作業開始時における散布装置の作動と床コンベアの送込作動とが、自動的に散布装置の作動→床コンベアの作動の順を守って行われるように作動制御したことを特徴とするマニアスプレッダにおける床コンベアと散布装置の制御装置。
【請求項３】
散布装置（４）を駆動する動力伝達軸５の回転数（Ｎ１）に対する散布装置（４）のビータ軸（４０）の回転数（Ｎ２）の差を、床コンベア（３）駆動用の油圧モータ（Ｍ）の油圧回路を制御するコントローラ（ｃ）に組み込まれたマイコンにより監視させ、その差に生じた変化の検出により前記油圧回路に設けた電磁弁（ｓｖ）に前記油圧回路を閉とする位置への作動を指令するよう制御せしめ、シェアボルトの切断時に、散布装置（４）の作動が完全に停止する前に床コンベアの送り作動を停止させるようにしたことを特徴とするマニアスプレッダにおける床コンベアと散布装置の制御方法。
【請求項４】
散布装置（４）を駆動する動力伝達軸（５）に回転数（Ｎ１）を検出する回転センサ（Ｓ１）を組み付け、散布装置（４）のビータ軸（４０）に回転数（Ｎ２）を検出する回転センサ（Ｓ２）を組み付け、これら回転センサ（Ｓ１）・（Ｓ２）を床コンベア（３）駆動用の油圧モータ（Ｍ）の油圧回路を制御するコントローラ（ｃ）に接続し、コントローラ（ｃ）のマイコンには、動力伝達軸（５）とビータ軸（４０）とが正常に回転している状態において、回転センサ（Ｓ１）により検出される動力伝達軸（５）の回転数（Ｎ１）に対する回転センサ（Ｓ２）により検出されるビータ軸（４０）の回転数（Ｎ２）との差となる回転センサ比較設定値（Ｘ）を設定するとともに、その回転センサ比較設定値（Ｘ）と、回転センサ（Ｓ１）により検出される動力伝達軸（５）の検出回転数（Ｎ１）に対する回転センサ（Ｓ２）により検出されるビータ軸（４０）の検出回転数（Ｎ２）との差とを比較監視する比較回路を組み込み、かつ、動力伝達軸（５）の検出回転数（Ｎ１）に対するビータ軸（４０）の検出回転数（Ｎ２）との差が、回転センサ比較設定値（Ｘ）より大きくなったことを確認したときの指令により、前記油圧回路に設けた電磁弁（ｓｖ）を油圧回路を閉とする中立位置に作動せしめるマイコンプログラムを組み込んでいることを特徴とするマニアスプレッダにおける床コンベアと散布装置の制御装置。
【請求項５】
散布装置（４）を駆動する動力伝達軸（５）の回転数（Ｎ１）に対する散布装置（４）のビータ軸（４０）の回転数（Ｎ２）の差を、床コンベア（３）駆動用の油圧モータ（Ｍ）の油圧回路を制御するコントローラ（ｃ）に組み込まれたマイコンにより監視させ、その差に生じた変化の検出によりマイコンに組み込まれたプログラムに、前記油圧回路に設けた電磁弁（ｓｖ）が油圧回路を閉とする中立位置に作動を行うよう指令せしめ、かつ、前記プログラムには、中立位置に作動した電磁弁（ｓｖ）を一定時間逆転位置に作動させた後、中立位置に戻すタイマー回路を組み込み、シェアボルト（６）が切断されたときに、散布装置の作動が完全に停止する前に床コンベアが停止して逆転作動した後停止するようにしたことを特徴とするマニアスプレッダにおける床コンベアと散布装置の制御方法。
【請求項６】
散布装置（４）を駆動する動力伝達軸（５）に回転数（Ｎ１）を検出する回転センサ（Ｓ１）を組み付け、散布装置（４）のビータ軸（４０）に回転数（Ｎ２）を検出する回転センサ（Ｓ２）を組み付け、これら回転センサ（Ｓ１）・（Ｓ２）を床コンベア（３）駆動用の油圧モータ（Ｍ）の油圧回路を制御するコントローラ（ｃ）に接続し、コントローラ（ｃ）のマイコンには、動力伝達軸（５）とビータ軸（４０）とが正常に回転している状態において、回転センサ（Ｓ１）により検出される動力伝達軸（５）の回転数（Ｎ１）に対する回転センサ（Ｓ２）により検出されるビータ軸（４０）の回転数（Ｎ２）との差となる回転センサ比較設定値（Ｘ）を設定するとともに、その回転センサ比較設定値（Ｘ）と、回転センサ（Ｓ１）により検出される動力伝達軸（５）の検出回転数（Ｎ１）に対する回転センサ（Ｓ２）により検出されるビータ軸（４０）の検出回転数（Ｎ２）との差とを比較監視する比較回路を組み込み、かつ、動力伝達軸（５）の検出回転数（Ｎ１）に対するビータ軸（４０）の検出回転数（Ｎ２）との差が、回転センサ比較設定値（Ｘ）より大きくなったことを確認したときの指令により、前記油圧回路に設けた電磁弁（ｓｖ）を油圧回路を閉とする中立位置に作動せしめるマイコンプログラムを組み込み、そのマイコンプログラムには、指令により中立位置に作動させた電磁弁（ｓｖ）を一定時間逆転位置に作動させた後に中立位置に戻すタイマー回路を組み込んでいることを特徴とするマニアスプレッダにおける床コンベアと散布装置の制御装置。
【発明の詳細な説明】
【技術分野】
【０００１】
本発明は、荷箱内に積載した堆肥などを、荷箱内の床面に設けた床コンベアの作動により荷箱後部に設けた散布装置に向けて送り込み、その散布装置の回転するビーターの作動で、荷箱の後方に散布していくマニアスプレッダにおいて、床コンベアの作動と散布装置の作動とを制御する制御装置及び制御方法に関する。
【背景技術】
【０００２】
荷箱に積載した堆肥などを、荷箱内の床部に装備せる床コンベアで、荷箱の後部に装備せしめてある散布装置に送り、その散布装置により荷箱の後方に散布していくマニアスプレッダ（堆肥散布機）は、トラクタに牽引されて走行する被牽引型のものについて具体的に説明すれば、通常、図１の側面図、図２の平面図にあるように、トラクタＴに牽引されて走行輪１０により走行する台車状の機体１の上面に、上方が開放する荷箱２を、それの後端側の機壁が切除されて後方に開放する形状に形成して装架し、この荷箱２内に、それの床板２０上面に沿い回動する床コンベア３を装備せしめ、後方に開放する荷箱２の後端部には、散布装置４を装架することで構成してある。そして、この堆肥散布機Ａにおける床コンベア３及び散布装置４の駆動は、床コンベア３にあっては、図６にあるように、機体１の後部の左右の一方の側面で、該床コンベア３のコンベアベルト３ａの後部側の回行部を支承しているスプロケット３０と対向する部位に組み付け支架した油圧モータＭの出力軸を、前記スプロケット３０の軸に伝導機構を介して伝導連繋しておき、この油圧モータＭを、荷箱２の前面に装備せる油圧制御ボックスｂ内に組み込まれた油圧回路（図示省略）を経て流れる圧油によって駆動させ、それにより、スプロケット３０を駆動してコンベアベルト３ａを回動作動させることで、該床コンベア３を駆動するようにしてある。そして、この床コンベア３の駆動は、前記油圧制御ボックスｂ内の油圧回路に組み込んである制御弁（図示省略）を、荷箱２前面の前記油圧制御ボックスｂの上方位置に装備せしめてあるコントローラｃからの指令により、油圧回路を閉とする位置に切り換え作動させて、油圧モータＭに対する圧油の流れを遮断して油圧モータＭの回転を停止させることで停止し、該床コンベア３は停止状態となるようにしてある。
【０００３】
なお、油圧モータＭを駆動するように供給する圧油は、この例においては、トラクタＴ側に設けられる油圧装置で生成される圧油を利用するようにしてある。トラクタＴ側に設けられた油圧装置の油圧回路は、油圧ホースａを介して、前記荷箱２前面に設けた油圧制御ボックスｂ内の油圧回路に接続させてあり、油圧モータＭは、この油圧ホースａを介して導かれるトラクタＴの油圧装置の圧油により駆動される。このため、床コンベア３の駆動は、トラクタＴに設けられている制御装置の操作により、そのトラクタＴの油圧装置を作動させて、その油圧装置の油圧回路に生成する圧油が、油圧モータＭの油圧回路に流れる状態としておいて、コントローラｃからの指令により制御弁を開の位置に作動させて油圧モータＭを駆動させることで行われるようになる。
【０００４】
また、散布装置４にあっては、図４にあるように、機体１の後部に装架した該散布装置４の機枠４ａの下面に組み付け支架せるビータ駆動用のミッション部ｋの出力軸を、散布装置４のビータ軸４０に伝導連繋しておき、その駆動用のミッション部ｋの入力軸に伝導連結した動力伝達軸５を駆動してミッション部ｋを作動させてビータ軸４０を駆動回転させることにより駆動させるが、動力伝達軸５は、前端側に入力軸５ａが装設してあって、この入力軸５ａと、トラクタＴの車体後部に装備せる動力取出軸（図示省略）とが自在軸継手５０を介し接続せしめてあり、トラクタＴの動力取出軸（ＰＴＯ軸）を駆動回転させることにより、その動力取出軸から出力されるトラクタＴ側の回転動力によって駆動されるようにしてある。したがって、散布装置４の駆動は、トラクタＴの制御装置の操作により動力取出軸を作動させて、動力伝達軸５を駆動回転させることにより開始するようにしてある。
【０００５】
そして、これにより、堆肥散布機Ａは、荷箱２内に投入して積載した堆肥などを、油圧モータＭの駆動による床コンベア３の作動で順次後方に順次移動させ、その移動する堆肥などの後端側から、動力伝達軸５の駆動により回転するビータ４１の回転作動で、荷箱２の後方に放出して散布するように構成されている。
【０００６】
このように構成される堆肥散布機Ａには、荷箱２内に投入して積載した堆肥などの中に混入している石などの異物が、堆肥とともに、床コンベア３で散布装置４に送られてきたときに、この異物により散布装置４の回転するビータ軸４０に設けたビータ４１の負荷が増大することで、散布装置４に破損を生ぜしめることがある。
【０００７】
この堆肥中に混入する石などの異物により散布装置４に生ずる破損を防止するため、散布装置４のビータ駆動ミッション部ｋにトルククラッチを設けるか、動力伝達軸５にシェアボルト６を設けるなどの安全装置を組み込んで、ビータ４１にかかる負荷の増大により、動力伝達軸５に過大な負荷が作用してきたときに、シェアボルト６が切断して、散布装置４のビータ軸４０への回転動力の伝達を遮断し、散布装置４のビータ軸４０の回転作動を停止させて、散布装置４の破損を防ぐ安全対策が採られている。
【０００８】
一方、この手段の採用により、異常な負荷の発生時に自動的に動力の伝達が遮断されて散布装置４の作動が停止するようにしたとき、散布装置４は停止しても、床コンベア３は作動し続けることで、堆肥を散布装置４に送り続けることから、堆肥が散布装置４の手前に圧縮されて集積し、その圧力で散布装置４を破損させたり、再起動の際に、圧縮した堆肥を取り除かないと、再起動ができない事態を生ぜしめている。
【０００９】
この事態の発生を防止するため、
イ．散布装置４には、前記図４に示しているように、ビータ軸４０の回転を感知するセンサＳを設けて、このセンサＳにより散布装置４の回転停止を検出させ、その検出作動により散布装置４の回転停止時に荷箱２内の床コンベア３の作動を停止させるよう床コンベア３の作動を制御する手段、
ロ．床コンベア３で搬送される堆肥により散布装置４に加わる圧力を検出する検出手段を設けて、散布装置４の回転停止により散布装置４に加わる堆肥の圧力が増大してきたときに、その検出手段による圧力の検出作動で、荷箱２内の床コンベア３の作動が停止するよう床コンベア３の作動を制御する手段、
が採られている。
【００１０】
上述のイの手段は、例えば、前述の図４に示しているように、散布装置４のビータ軸４０に、該ビータ軸４０の回転の有無を感知するセンサＳを組み付け、このセンサＳを、図５のブロック図にあるよう油圧制御ボックスｂ内の油圧回路Ｕを制御するコントローラｃに接続し、このセンサＳがビータ軸４０の回転の停止を検出して、その検出信号がコントローラｃに送られると、コントローラｃから油圧制御ボックスｂ内の油圧回路Ｕに組み込まれた電磁弁ｓｖを、油圧回路がオフとなる位置に動かすよう作動させる信号が発信され、これによる電磁弁ｓｖの作動で油圧回路がオフに切り換わって、油圧モータＭが停止し、床コンベア３の作動が停止するようにして、散布装置４の作動が停止するとそれにより自動的に床コンベア３の作動が停止するよう床コンベア３の作動を制御する手段である。
【００１１】
ロの手段は、例えば、図６・図７・図８に示しているように、散布装置４を組み立て構成している機枠４ａを、機体１に設けた揺動支点Ｐに、前後に揺動自在に支架せしめ、散布装置４が、床コンベア３で送られてきた堆肥の圧力を受けたときに、その圧力で散布装置４の機枠４ａが後方に傾斜回動するようにして、その散布装置４の機枠４ａの傾斜回動による傾斜角度の変化により圧力の感知作動が行われるようにしておき、また、油圧モータＭの作動を制御する油圧制御ボックスｂ内の油圧回路Ｕには、図９にあるようその油圧回路Ｕをオン・オフに切り換える油圧作動弁ｖを、油圧制御ボックスｂの外面に軸支せる作動部材Ｌの上昇回動（図７）により油圧モータＭに対する回路を開とする位置を占め、作動部材Ｌの下降回動（図８）により閉とする位置を占めるよう、作動部材Ｌと連繋させて組み込み、かつ、常態において、作動部材Ｌが上昇回動した状態位置にあり、そのとき油圧作動弁ｖが油圧回路Ｕを開とするポジションを占めるよう規制しておき、この作動部材Ｌの回動端部と前述の揺動自在に機体１に軸架した散布装置４の機枠４ａの回動側の端部とを、角度感知ワイヤーｗとにより連繋して、散布装置４の機枠４ａが堆肥の圧力で後方に傾斜回動すると、角度感知ワイヤーｗの牽引により、作動部材Ｌが下降回動して、油圧弁が油圧回路をオフに切り換えるよう作動し、油圧モータＭを停止せしめて床コンベア３が停止するようにして、散布装置４の作動が停止して散布装置４に加わる堆肥の圧力が増大してくると自動的に床コンベア３の作動が停止するように制御している手段である。
【００１２】
このように、床コンベア３により送られる堆肥により散布装置４に異常な負荷または圧力がかかることで、安全装置の作動で散布装置４の回転作動が停止したときに、床コンベア３の作動が自動的に停止するよう床コンベア３の作動を制御する手段を装備せしめている従前の堆肥散布機Ａには、以下に記載する問題がある。
１．散布装置４には回転を感知するセンサＳを設けてそのセンサＳによる散布装置４の回転停止の検出作動により床コンベア３の作動を停止せしめる制御手段（以下「イ手段」という）を採用し装備せしめている堆肥散布機、また、床コンベア３で搬送される堆肥により散布装置４に加わる圧力を検出する検出手段を設けて、散布装置４が回転停止して、散布装置４に加わる堆肥の圧力が増大してきたときに、その検出手段による圧力の検出作動で、床コンベア３の作動を停止せしめる制御手段（以下「ロ手段」という）を採用し装備せしめている堆肥散布機のいずれのものも、
（１）散布装置４の作動が完全に停止した後に、床コンベア３の作動が停止するので、シェアボルト６が切断して散布装置４が停止した後も回動作動する床コンベア３が停止するまでの間の送り作動により、散布装置４の入口部に堆肥が圧縮された状態となる（図１１）。この圧縮された状態の堆肥が、シェアボルト６を交換して、再起動させたときに、散布装置４の作動を阻げる負荷となって、再びシェアボルトが切断し易くなる。
（２）作業開始時点における散布装置４と床コンベア３の駆動は、先に、散布装置４を規定回転数まで駆動し、その後に床コンベア３を駆動するという順を守って駆動する必要がある。この順を逆にし、または同時に駆動すると、散布装置４が停止しているか、もしくは回転が遅いところに堆肥が供給されることで、散布装置の負荷が大きくなり、シェアボルトの切断が発生し易くなる。
（３）また、「ロ手段」を採用し装備せる堆肥散布機にあっては、作業開始時点における散布装置４と床コンベア３との駆動は、散布装置４を先に駆動し、その後に床コンベア３を駆動するという順を守って行い、散布装置４を堆肥の散布・放出作動が正常に行われる規定回転数で回転する状態に駆動したところに、床コンベア３が作動して堆肥を送り込み供給するように駆動を制御することが必要である。この順を逆にすると、散布装置４が停止しているところに堆肥が送り込まれることで、散布装置４に対する堆肥の圧力が増大して、その圧力を検出する検出手段が感知作動して床コンベア３の作動を停止させてしまう（図１３）。
（４）堆肥中に混入した石などの異物によりシェアボルトが切断して作動が停止したことで、シェアボルトを交換して再起動するとき、ビータ４１が堆肥に喰い込んだ状態で停止している散布装置４から、喰い込んだ堆肥を取り除いておくことが必要であるが、この喰い込んだ堆肥の除去作業は、手作業で行うことで、多大の労力を要する。
という問題がある。
【発明の概要】
【発明が解決しようとする課題】
【００１３】
本発明において解決しようとする課題は、荷箱２の床面に設けた床コンベア３により、荷箱２内に投入した堆肥・厩肥などを荷箱２の後端部に装架した散布装置４に送給し、散布装置４の回転作動するビータ４１により荷箱２の後方に放てき散布する堆肥散布機Ａにおいて、シェアボルトなどが切断して作動が停止したときの再起動を含めた作業の起動時における散布装置４と床コンベア３の作動の制御を、散布装置４が先で床コンベア３が後になる順で駆動され、散布装置４が正常に堆肥の散布作動をするのに必要な回転数にまで駆動されたところで、床コンベア３が駆動されて堆肥の供給作動をするようにし得る制御手段を構成することと、石などの異物の混入によりシェアボルトなどの切断で散布装置４が作動を停止するときの床コンベア３の作動の制御を、散布装置４が完全に作動を停止する前に、床コンベア３が停止するようにし得る制御手段を構成する点にある。
【課題を解決するための手段】
【００１４】
上述の課題を解決するための手段として、本発明においては、散布装置に組み付ける回転センサＳ２により検出される前記散布装置のビータ軸の回転数Ｎ２と、床コンベアの駆動用の油圧モータＭの作動を制御するコントローラｃに組み込まれたマイコンに設定した散布装置のビータ軸が正常に作動するのに必要な最低の回転数の閾値Ｎ３とを、前記マイコンにより比較監視させて、前記回転センサＳ２により検出されるビータ軸の検出回転数Ｎ２が前記マイコンに設定した設定閾値Ｎ３より大きくなった時点で、床コンベア駆動用の油圧モータＭの油圧回路に設けた電磁弁が開に作動して床コンベアの送り作動が開始するよう制御せしめて、作業開始時における散布装置の作動と床コンベアの送り作動とが、自動的に散布装置の作動→床コンベアの作動の順を守って行われるようにすることを特徴とするマニアスプレッダにおける散布装置と床コンベアの制御方法を提起し、またこれに併せて、
散布装置には、それのビータ軸の回転数を検出する回転センサＳ２を組み付け、その回転センサＳ２を、床コンベアの駆動用の油圧モータＭの作動を制御するコントローラｃに接続し、前記コントローラｃのマイコンには、散布装置のビータ軸が正常に作動するのに必要な最低の回転数の閾値Ｎ３を設定するとともに、前記ビータ軸の検出回転数Ｎ２と前記ビータ軸の正常回転数の閾値Ｎ３とを比較監視してＮ２＞Ｎ３となった時点で、油圧モータＭの油圧回路に設けた電磁弁ｓｖが開の位置に作動して床コンベアの送り作動が開始するようマイコンに組み込まれたプログラムに指令する比較回路を組み込み、作業開始時における散布装置の作動と床コンベアの送込作動とが、自動的に散布装置の作動→床コンベアの作動の順を守って行われるように作動制御したことを特徴とするマニアスプレッダにおける床コンベアと散布装置の制御装置を提起し、またこれに併せて、
散布装置４を駆動する動力伝達軸５の回転数Ｎ１に対する散布装置４のビータ軸４０の回転数Ｎ２の差を、床コンベア３駆動用の油圧モータＭの油圧回路を制御するコントローラｃに組み込まれたマイコンにより監視させ、その差に生じた変化の検出により前記油圧回路に設けた電磁弁ｓｖに前記油圧回路を閉とする位置への作動を指令するよう制御せしめ、シェアボルトの切断時に、散布装置４の作動が完全に停止する前に床コンベアの送り作動を停止させるようにしたことを特徴とするマニアスプレッダにおける床コンベアと散布装置の制御方法を提起し、またこれに併せて、
散布装置４を駆動する動力伝達軸５に回転数Ｎ１を検出する回転センサＳ１を組み付け、散布装置４のビータ軸４０に回転数Ｎ２を検出する回転センサＳ２を組み付け、これら回転センサＳ１・Ｓ２を床コンベア３駆動用の油圧モータＭの油圧回路を制御するコントローラｃに接続し、コントローラｃのマイコンには、動力伝達軸５とビータ軸４０とが正常に回転している状態において、回転センサＳ１により検出される動力伝達軸５の回転数Ｎ１に対する回転センサＳ２により検出されるビータ軸４０の回転数Ｎ２との差となる回転センサ比較設定値Ｘを設定するとともに、その回転センサ比較設定値Ｘと、回転センサＳ１により検出される動力伝達軸５の検出回転数Ｎ１に対する回転センサＳ２により検出されるビータ軸４０の検出回転数Ｎ２との差とを比較監視する比較回路を組み込み、かつ、動力伝達軸５の検出回転数Ｎ１に対するビータ軸４０の検出回転数Ｎ２との差が、回転センサ比較設定値Ｘより大きくなったことを確認したときの指令により、前記油圧回路に設けた電磁弁ｓｖを油圧回路を閉とする中立位置に作動せしめるマイコンプログラムを組み込んでいることを特徴とするマニアスプレッダにおける床コンベアと散布装置の制御装置を提起し、またこれに併せて、
散布装置４を駆動する動力伝達軸５の回転数Ｎ１に対する散布装置４のビータ軸４０の回転数Ｎ２の差を、床コンベア３駆動用の油圧モータＭの油圧回路を制御するコントローラｃに組み込まれたマイコンにより監視させ、その差に生じた変化の検出によりマイコンに組み込まれたプログラムに、前記油圧回路に設けた電磁弁ｓｖが油圧回路を閉とする中立位置に作動を行うよう指令せしめ、かつ、前記プログラムには、中立位置に作動した電磁弁ｓｖを一定時間逆転位置に作動させた後、中立位置に戻すタイマー回路を組み込み、シェアボルト６が切断されたときに、散布装置の作動が完全に停止する前に床コンベアが停止して逆転作動した後停止するようにしたことを特徴とするマニアスプレッダにおける床コンベアと散布装置の制御方法を提起し、またこれに併せて、
散布装置４を駆動する動力伝達軸５に回転数Ｎ１を検出する回転センサＳ１を組み付け、散布装置４のビータ軸４０に回転数Ｎ２を検出する回転センサＳ２を組み付け、これら回転センサＳ１・Ｓ２を床コンベア３駆動用の油圧モータＭの油圧回路を制御するコントローラｃに接続し、コントローラｃのマイコンには、動力伝達軸５とビータ軸４０とが正常に回転している状態において、回転センサＳ１により検出される動力伝達軸５の回転数Ｎ１に対する回転センサＳ２により検出されるビータ軸４０の回転数Ｎ２との差となる回転センサ比較設定値Ｘを設定するとともに、その回転センサ比較設定値Ｘと、回転センサＳ１により検出される動力伝達軸５の検出回転数Ｎ１に対する回転センサＳ２により検出されるビータ軸４０の検出回転数Ｎ２との差とを比較監視する比較回路を組み込み、かつ、動力伝達軸５の検出回転数Ｎ１に対するビータ軸４０の検出回転数Ｎ２との差が、回転センサ比較設定値Ｘより大きくなったことを確認したときの指令により、前記油圧回路に設けた電磁弁ｓｖを油圧回路を閉とする中立位置に作動せしめるマイコンプログラムを組み込み、そのマイコンプログラムには、指令により中立位置に作動させた電磁弁ｓｖを一定時間逆転位置に作動させた後に中立位置に戻すタイマー回路を組み込んでいることを特徴とするマニアスプレッダにおける床コンベアと散布装置の制御装置を提起するものである。
【発明の効果】
【００１５】
散布作業を開始するとき、散布装置が一定回転以上になった後に床コンベア作動が自動的に開始されるので、散布装置と床コンベアとを、散布装置→床コンベアの順を守って作動させるのが自動的に行えるようになる。
【００１６】
散布作業中にシェアボルトの切断により散布装置の作動が停止する異常事態が生じたとき、散布装置の作動が完全に停止する前に床コンベアの送り作動が停止するように制御しているので、再度の起動の際の処理作業が容易になる。
【図面の簡単な説明】
【００１７】
【図１】被牽引型のマニアスプレッダのトラクタに連結牽引させた状態における一部破断した側面図である。
【図２】同上マニアスプレッダの同上状態における平面図である。
【図３】同上マニアスプレッダのトラクタから取り外した状態における平面図である。
【図４】同上マニアスプレッダに安全対策としてシェアボルトを装設し、さらに、シェアボルトの切断時に、床コンベアの作動が自動停止する制御手段を施したマニアスプレッダの一部破断した側面図である。
【図５】同上マニアスプレッダに組み付け施工した制御手段のブロック図である。
【図６】同上マニアスプレッダに、シェアボルト切断時における床コンベアの作動を自動停止さす制御を、散布装置に加わる堆肥の圧力を検出する圧力検出手段で行うようにした例の平面図である。
【図７】同上の圧力検出手段の側面図である。
【図８】同上圧力検出手段が、圧力を検出する作動を行った状態の側面図である。
【図９】同上圧力検出手段のブロック図である。
【図１０】散布装置が正常に作動している通常状態時における荷箱内の堆肥の移動状態を表す説明図である。
【図１１】堆肥中に混入している石などの異物により散布装置の作動が異常停止したときの、堆肥などが散布装置の手前に圧縮された状態を表す説明図である。
【図１２】散布装置を作動させた後に床コンベアを作動させて、散布作業を開始したときの、荷箱内の堆肥の移動状態を表す説明図である。
【図１３】散布装置を作動させる前に、床コンベアを作動させ、その後に散布装置を作動させて、散布作業を開始したときの、荷箱内の堆肥などの移動状態を表す説明図である。
【図１４】本発明を実施せる第１の実施例のマニアスプレッダの平面図である。
【図１５】同上実施例のマニアスプレッダの一部破断した側面図である。
【図１６】同上実施例のマニアスプレッダにおける制御装置のブロック図である。
【図１７】同上制御装置の要部のブロック図である。
【図１８】同上制御装置の作動のフローチャートである。
【図１９】本発明を実施せる第２の実施例のマニアスプレッダの平面図である。
【図２０】同上実施例のマニアスプレッダの、散布作業中に散布装置の作動が異常停止した状態における荷箱内の堆肥などの移動状態を表した一部破断した側面図である。
【図２１】同上実施例のマニアスプレッダに装備せしめた制御装置のブロック図である。
【図２２】同上制御装置の要部のブロック図である。
【図２３】同上制御装置の作動のフローチャートである。
【図２４】本発明を実施せる第３の実施例のマニアスプレッダの平面図である。
【図２５】同上マニアスプレッダの、散布作業中に散布装置の作動が異常停止し、床コンベアが停止して一定時間逆転した後に停止した状態時における荷箱内の堆肥などの移動状態を表した一部破断した側面図である。
【図２６】同上マニアスプレッダに装備せる制御手段のブロック図である。
【図２７】同上制御手段の要部のブロック図である。
【図２８】同上制御手段の作動順を示すフローチャートである。
【発明を実施するための形態】
【００１８】
次に本発明の実施の形態を、実施例につき図面に従い詳述する。
【実施例１】
【００１９】
図１４乃至図１８は、本発明手段の第１の実施例を示し、図１４は本発明手段を実施せるマニアスプレッダの平面図、図１５は同上マニアスプレッダの一部破断した側面図、図１６は制御手段部のブロック図、図１７は同上手段の要部のブロック図、図１８は同上手段のフローチャートである。
【００２０】
これら図において、Ａは本発明の実施に用いるマニアスプレッダの全体、１はそのマニアスプレッダＡの機体、２は散布すべき堆肥などを積載する荷箱、３は積載した堆肥などを後方に送るよう荷箱２の床面に装架した床コンベア、４は前記床コンベア３で後方に送られる堆肥などを、後端側から掻き出して機体１の後方に散布していくよう機体１の後部に装架した散布装置を示す。
【００２１】
マニアスプレッダＡは、前述の図３、図４、図５で示している従来例のものと同様に、機体１の前端に設けた連結器１１をトラクタＴの車体後部の連結ヒッチに連結してトラクタＴにより牽引されて走行し、その走行移動により、散布装置４の作動で掻き出す堆肥などを圃場に散布していく被牽引型に構成したものである。
【００２２】
機体１の上面側で前半側に装架せる荷箱２は、上方が開放し後方が開放する形状に形成された従前のものと同様の構成のものである。
【００２３】
荷箱２の床面に装架せる床コンベア３も従来手段のものと同様であり、機体１の後部の一側で、床コンベア３のコンベアベルト３ａの後端側を支承するスプロケット３０と対向する部位に組み付けた油圧モータＭの作動により、前記スプロケット３０を駆動することで、コンベアベルト３ａの搬送面が後方に回動して、荷箱２内に投入した堆肥などを後方の散布装置４に向け送り込むよう作動する構成のものである。
【００２４】
そして、その床コンベア３駆動用の油圧モータＭは、牽引するトラクタＴに設けられている油圧装置（図示省略）から油圧ホースａを介して導かれる圧油により作動し、そのトラクタＴ側から導かれる圧油が、荷箱２の前壁の前面に装架せる油圧制御ボックスｂ内の油圧回路Ｕを経て油圧モータＭに供給され、制御ボックスｂ内の油圧回路Ｕに設けた電磁弁ｓｖが、荷箱２の前壁の前面に装架せるコントローラｃに組み込まれたマイコンによる制御で、油圧回路Ｕを開とするオンの位置と同回路Ｕを閉とするオフの位置とに切り換えられることにより、回転作動する作動状態と回転作動が停止した停止状態とに切り換わり、この切り換え作動によって、床コンベア３を送り込み作動をする状態と送り込みを停止した状態とに切り換えられるようにしてある。
【００２５】
機体１の後部に装架せる散布装置４は、該散布装置４の機枠４ａに軸支したビータ軸４０を、機枠４ａの下面側に設けたビータ駆動ミッション部ｋの駆動により、該ミッション部ｋ内に収蔵せる伝導機構（図示省略）の作動で駆動回転させて、ビータ軸４０の周面に放射状に取り付けたビータ４１をビータ軸４０中心に回転させることで、その回転するビータ４１により、床コンベア３で送り込まれてくる堆肥などを掻き出して機体１の後方に散布していくよう構成した従来手段のものと同様のものである。そして、ビータ軸４０を回転さすビータ駆動ミッション部ｋの駆動を、該駆動ミッション部ｋに後端側が接続する動力伝達軸５の前端側に入力軸５ａを設けて、その入力軸５ａを牽引するトラクタＴの車体に設けた動力取出軸（ＰＴＯ軸）に自在軸継手５０を介し接続し、トラクタＴ側の回転動力で駆動するようにしていることも、従来手段のものと同様である。
【００２６】
６は、散布装置４のビータ軸４０に過大な負荷がかかってきたときに、ビータ駆動ミッション部ｋに破損が生ずるのを防止するための安全対策として、散布装置４の駆動部に設けるシェアボルトであり、動力伝達軸５の途中で前端寄りの部位に装設してある。
【００２７】
Ｓ１は、散布装置４を駆動する動力伝達軸５の回転数を検出する回転センサであり、動力伝達軸５の、シェアボルト６を設けた部位よりも入力側の部位に組み付けて装設してあり、散布装置４のビータ軸４０にかかる過大な負荷によりシェアボルト６が切断したときにおいても、動力伝達軸５の回転数を正しく検出するように設けてある。
【００２８】
Ｓ２は、散布装置４のビータ軸４０の回転数を検出する回転センサで、ビータ軸４０の上端部位に組み付けて装設してある。そして、この回転センサＳ２は、図１６及び図１７のブロック図に示しているよう、油圧制御ボックスｂ内の油圧回路Ｕを制御するコントローラｃに対し、該回転センサＳ２で検出したビータ軸４０の回転数の検出値である検出回転数Ｎ２を送るようそのコントローラｃに接続させてある。
【００２９】
そして、コントローラｃには、それに組み込まれたマイコンに、散布装置４のビータ軸４０が正常に作動するのに必要な最低の回転数（例えば、ビータ軸４０の最大回転数の５０％の回転数）の閾値が、設定閾値Ｎ３として設定してある。また、そのマイコンには、トラクタのＰＴＯ軸（動力取出軸）の回転作動の開始により動力伝達軸５を介し散布装置４を駆動し散布作動を開始したときにおいて、回転し始めたビータ軸４０から回転センサＳ２により検出されてコントローラｃに送られてくる検出回転数Ｎ２と前述の設定閾値Ｎ３との比較監視と、起動により次第に大きくなってくる検出回転数Ｎ２が設定閾値Ｎ３より大きくなったＮ２＞Ｎ３ことを確認したときに出力される指令により、油圧モータＭの油圧回路Ｕに設けた電磁弁ｓｖをその油圧回路Ｕを開とする位置に作動せしめるマイコンプログラムに指令する比較回路が組み込まれる。
【００３０】
以上のように構成してあるこの実施例の堆肥散布機Ａは、トラクタＴのＰＴＯ軸をオンに作動させて、軸継手→動力伝達軸５→ビータ駆動ミッション部ｋを経て散布装置４のビータ軸４０を駆動し、散布作業を開始したとき、図１８のフローチャートに示しているよう、動力伝達軸５の駆動により回転し始めたビータ軸４０の回転数が回転センサＳ２により検出されて、検出値の検出回転数Ｎ２の信号データが、コントローラｃに入力され、コントローラｃに組み込まれているマイコンにおいて、その検出した検出回転数Ｎ２と、マイコンに設定してある設定閾値Ｎ３とが比較監視され、検出回転数Ｎ２が設定閾値Ｎ３より小さいときは、もとに戻り、検出回転数Ｎ２が設定閾値Ｎ３より大きいＮ２＞Ｎ３とする値となったときに、マイコンに組み込まれているプログラムに指令を出力し、そのプログラムにより電磁弁ｓｖが油圧回路Ｕを開とする位置に作動し、これにより、コンベア駆動用の油圧モータＭが駆動されて床コンベア３の送り作動が開始されるようになる。
【００３１】
したがって、ＰＴＯ軸を作動させて、動力伝達軸５を駆動し、散布作業を開始したとき、散布装置４のビータ軸４０の回転作動が、堆肥などの散布作業を正常に行うのに必要な最低の回転数になるまでは、床コンベア３は作動せず、散布装置４のビータ軸４０が正常な散布作業を行える回転数にまで回転してきたところで、床コンベア３の送り作動が開始することになるから、散布作業を開始するとき、先に散布装置４が作動を開始し、その作動が正常な散布作業を行うのに適応する状態となったところで、床コンベア３の作動が開始するようになって、散布装置４の作動と床コンベア３の作動とが、自動的に散布装置４→床コンベア３の順を守って行われるようになる。
【実施例２】
【００３２】
図１９乃至図２３は、本発明による堆肥散布機Ａにおける散布装置４と床コンベア３の制御手段についての別の実施例を示している。この例は、堆肥散布機Ａによる堆肥の散布作業中に、散布する堆肥中に混入している石などの異物によって、散布装置４のビータ軸４０に加わる負荷の増大により散布装置４の駆動部に設けたシェアボルト６などが切断して散布装置４の作動が停止した際に行われる床コンベアの送り作動の停止作動が、散布装置４のビータ軸４０の回転作動が完全に停止する前に行われるようにしている例である。
【００３３】
以下、図面に従いその構成を説明すると、図において、Ａは牽引型に構成したマニアスプレッダの全体、１はそのマニアスプレッダの機体、２はその機体１の上面側に装架した散布すべき堆肥などを積載する荷箱、３は積載した堆肥などを後方に送るよう荷箱ｂの床面に装架した床コンベア、４は前記床コンベア３で後方に送られる堆肥などを、それの後端側から掻き出して機体１の後方に散布していくよう機体１の後部に装架した散布装置、５は、散布装置４を駆動する動力伝達軸、６はその動力伝達軸５の途中に設けたシェアボルト、Ｍは床コンベア３を駆動する油圧モータ、ａは、その油圧モータＭを作動させる圧油をトラクタＴに装備されている油圧回路から導く油圧ホース、ｂは、油圧モータＭの作動を制御する油圧回路Ｕが組み込まれている油圧制御ボックス、ｃはその油圧制御ボックスｂ内の油圧回路Ｕに組み込まれた電磁弁ｓｖの作動を制御して、油圧回路Ｕを開・閉し、油圧モータＭの作動をオン・オフするよう制御するコントローラ、Ｓ１は、散布装置４を駆動する動力伝達軸５の回転数を検出して、その検出値である検出回転数Ｎ１をコントローラｃに送るよう動力伝達軸５の、シェアボルト６を設けた部位よりも入力軸側に寄る部位に組み付け付設した回転センサ、Ｓ２は、散布装置４のビータ軸４０の回転数を検出して、その検出値の検出回転数Ｎ２をコントローラｃに送るようビータ軸４０の上端部位に組み付け付設した回転センサであり、これらは、前述の第１の実施例のものと同様に構成してある。
【００３４】
さらに具体的にいえば、この実施例におけるマニアスプレッダＡは、機体１の前端に設けた連結器１１をトラクタＴ（図示省略）の車体後部連結ヒッチに連結して、そのトラクタによる牽引により走行し、その走行移動により、散布装置４の作動で掻き出す荷箱２内の堆肥などを圃場に散布していく牽引型のマニアスプレッダであり、
機体１の上面側で前半側に装架せる荷箱２は、上方と後方が開放する形状に形成された構成のものであり、
荷箱２の床面に装架せる床コンベア３は、機体１の後部の一側で、該床コンベア３のコンベアベルト３ａの後端側を支承するスプロケット３０と対向する部位に組み付けた油圧モータＭの作動により、前記スプロケット３０を駆動することで、コンベアベルト３ａをそれの搬送面が後方に回動するよう駆動して、荷箱２内に投入した堆肥などを機体１の後部に設けた散布装置４に向け送り込むよう作動する構成のものであり、
その床コンベア３駆動用の油圧モータＭは、牽引するトラクタに装備されている油圧装置（図示省略）で生成される圧油を利用して駆動が行われるようにしてあり、そして、この油圧モータＭへの圧油の供給は、コントローラｃに組み込まれたマイコンの制御により、油圧回路Ｕに組み込まれている電磁弁ｓｖが油圧回路Ｕを開とする位置と閉とする位置とに切り換えられる作動によって、オン・オフに制御され、これにより、油圧モータＭは、回転作動する状態と回転停止の状態とに切り換えられるようにしてあり、また、機体１の後部に装架せる散布装置４は、それの作動が、該散布装置４の機枠４ａの下面に装架せるビータ駆動ミッション部ｋを、動力伝達軸５の駆動により駆動させて、そのミッション部ｋ内の伝導機構を介しビータ軸４０を駆動回転させることで行われ、その動力伝達軸５の駆動が、トラクタＴのＰＴＯ軸からの回転動力の入力により行われる構成のものとなっている。
【００３５】
しかして、動力伝達軸５の回転数を検出するよう動力伝達軸５に組み付けた回転センサＳ１および散布装置４のビータ軸４０の回転数を検出するようビータ軸４０に組み付けた回転センサＳ２は、それぞれが検出した動力伝達軸５の検出回転数Ｎ１の信号データ及びビータ軸４０の検出回転数Ｎ２の信号データを、コントローラｃに送信するよう、そのコントローラｃに送信回線で接続させてあり、そのコントローラｃには、散布作業開始時に、散布装置４が先に作動を開始し、その後に床コンベア３の作動が開始されるように、散布装置４の作動と床コンベア３の作動とを制御するために、散布装置４のビータ軸４０が正常に作動するのに必要な最低の回転数を閾値とする設定閾値Ｎ３が、コントローラｃに組み込まれたマイコンに設定され、また、この設定閾値Ｎ３と回転センサＳ２で検出されてくるビータ軸４０の検出回転数Ｎ２とを比較監視し、検出回転数Ｎ２が設定閾値Ｎ３より大きいＮ２＞Ｎ３となったときにそれを判断してマイコンに組み込まれたプログラムに、電磁弁ｓｖが油圧回路Ｕを開とする位置に作動するよう指令する比較回路が組み込まれることについては、前述の第１の実施例のものと同様であるが、この実施例手段においては、コントローラｃに、さらに、以下に記載する別の制御手段が組み込まれる。
【００３６】
コントローラｃのマイコンには、回転センサ比較設定値Ｘが設定される。この設定値Ｘは、動力伝達軸５とビータ軸４０とが正常に作動して回転している状態において、回転センサＳ１で検出される動力伝達軸５の検出回転数Ｎ１と回転センサＳ２で検出されるビータ軸４０の検出回転数Ｎ２との差であり、Ｘ＝Ｎ１−Ｎ２であるが、この例においては、単純な数値とするために、動力伝達軸５に対し、減速比Ｇ＝Ｎ２／Ｎ１をもって回転しているビータ軸４０の回転数Ｎ２に対し、減速比Ｇで除して回転数Ｎ１と同回転数とした演算回転数Ｎ２’（Ｎ２’＝Ｎ２／Ｇ＝Ｎ１）をマイコンにより演算させ、このＮ２’のＮ１に対する差（Ｎ１−Ｎ２’）として設定してある。即ち、Ｎ１とＮ２’とは同数（Ｎ１＝Ｎ２’）であるから、Ｎ１−Ｎ２’は零（Ｎ１−Ｎ２’＝０）であり、回転センサ比較設定値Ｘは、零（Ｘ＝０）の値として設定してある。
【００３７】
そして、コントローラｃに組み込まれたマイコンには、回転センサＳ１により検出されてくる動力伝達軸５の検出回転数Ｎ１と減速比を加算して演算されたビータ軸４０の演算回転数Ｎ２’との差（Ｎ１−Ｎ２’）の監視と、この差（Ｎ１−Ｎ２）と上述の回転センサ比較設定値Ｘとの、比較監視を行い、差（Ｎ１−Ｎ２）が比較設定値Ｘより大きくなり（Ｎ１−Ｎ２’）＞Ｘとなったときに、それを判断確認して、マイコンプログラムに電磁弁ｓｖを閉の位置に作動さすよう指令する比較回路が組み込まれる。
【００３８】
このように構成してあるこの実施例における散布装置４と床コンベア３の作動の制御手段は、図２３のフローチャートに示しているよう作用し機能して、散布作業中にシェアボルト６がして散布装置４の作動が停止したときにおける床コンベア３の作動を停止させる制御が、散布装置４の作動が完全に停止する前に、床コンベア３の作動が停止するように制御できるようになる。
【００３９】
即ち、トラクタのＰＴＯ軸を作動させて起動し、散布作業を開始したとき、散布装置４のビータ軸４０に設けた回転センサＳ２で検出されるビータ軸４０の検出回転数Ｎ２とコントローラｃのマイコンに設定した設定閾値Ｎ３とを比較回路による比較監視により、ビータ軸４０の検出回転数Ｎ２が設定閾値Ｎ３より大きくなった時点で、電磁弁ｓｖを、油圧回路Ｕを開とする側に作動させて、床コンベア３の送り作動を開始させることで、散布装置４の手前に堆肥の詰まりを生ぜしめることなく散布装置４による散布作動が正常に行われるようにする。
【００４０】
そして、これにより、散布作業が正常に行われているところに、床コンベア３で送る堆肥の中に混入している石などの異物により、散布装置４のビータ軸４０に過大な負荷がかかることで、動力伝達軸５の途中に設けたシェアボルト６が切断される異常事態が生じたときは、ビータ軸４０は、動力伝達軸５との伝導が断たれることで、回転が低下し始め、続いて回転が停止するようになるが、ビータ軸４０の回転が低下すると、回転センサＳ２により検出されるビータ軸４０の検出回転数Ｎ２が下がることで、回転センサＳ１により検出される動力伝達軸５の検出回転数Ｎ１と検出回転数Ｎ２に減速比Ｇを加算して演算した演算回転数Ｎ２’との差（Ｎ１−Ｎ２’）が、マイコンプログラムに設定した回転センサ比較設定値Ｘ（Ｘ＝０）より大きくなる。これを比較監視する比較回路がこの（Ｎ１−Ｎ２’）＞Ｘとなったことを確認した時点でマイコンに組み込まれたプログラムに、電磁弁ｓｖを油圧モータＭの油圧回路Ｕを閉とする位置に作動させるよう指令し、これにより、油圧モータＭを停止させて床コンベア３の送り作動を停止させるようにする。
【００４１】
したがって、シェアボルト６の切断で、散布装置４のビータ軸４０の作動が停止したときの床コンベア３の送り作動の停止を、ビータ軸４０の作動が完全に停止する前の、回転が低下し出した時点で行わせるようになって、散布装置４の作動が停止したところに、床コンベア３で堆肥が送られてくることで生ずる堆肥の詰まりを解消するようになる。
【実施例３】
【００４２】
図２４乃至図２８は、さらに別の実施例を示している。この例は、前述の実施例２の制御手段を、さらに発展させた制御手段である。散布作業中に、散布装置４を駆動する動力伝達軸５に設けたシェアボルトなどの切断により、散布装置４のビータ軸４０の回転作動が停止した際に行う床コンベア３の送り作動の停止を、散布装置４のビータ軸４０の作動が完全に停止する前に自動的に行わすことで、シェアボルトなどの切断により散布装置４の作動が停止したとき、床コンベア３の作動を停止させるまでの間の床コンベア３の送り作動により停止した散布装置４に向け送られてくる堆肥などによって散布装置４の手前に生ずる堆肥などの詰まりを防止するようにしている前述の実施例２における制御手段をさらに発展させた手段である。
【００４３】
散布装置４のビータ軸４０の回転作動が完全に停止する前に、床コンベア３の送り作動を停止させるようにするが、送り作動を停止させた床コンベア３を、停止したところで一定時間（数秒）逆回転に作動させて、その後に停止するように制御することにより床コンベア３により散布装置４に向け送られて、停止している散布装置４の前面に送り込まれた堆肥などを、散布装置４の前面から引き離すように戻し、これにより、散布装置４の前面側に生ずる堆肥などの詰まりの発生の防止を一層効果的にしている手段である。
【００４４】
以下、実施例につき図面に従い構成を説明すれば、Ａはマニアスプレッダの全体、１はそのマニアスプレッダＡの機体、２は堆肥などを積載する荷箱、３は荷箱２の床面に装架した床コンベア、４は機体１の後部に装架した散布装置、５は散布装置４を駆動する動力伝達軸、６はその動力伝達軸５に設けたシェアボルト、Ｍは床コンベア３駆動用の油圧モータ、ａは、その油圧モータＭを作動させる圧油をトラクタＴに装備されている油圧装置から導く油圧ホース、ｂは油圧モータＭの作動を制御する油圧回路Ｕが組み込まれている油圧制御ボックス、ｃはその油圧制御ボックスｂ内の油圧回路Ｕに組み込まれた電磁弁ｓｖの作動を制御して油圧回路を制御するコントローラ、Ｓ１は散布装置４を駆動する動力伝達軸５の回転数Ｎ１を検出するようその動力伝達軸５に組み付けた回転センサ、Ｓ２は散布装置４のビータ軸４０の回転数Ｎ２を検出するようビータ軸４０に組み付けた回転センサである。これらは、前述の実施例２のものと同様に構成してあるので、詳しい構成については、同じ構成部材に同一の符号を付して、詳しい説明は省略する。
【００４５】
しかして、動力伝達軸５に付設した回転センサＳ１及びビータ軸４０に付設した回転センサＳ２は、それらが検出する動力伝達軸５の検出回転数Ｎ１の信号データ及びビータ軸４０の検出回転数Ｎ２の信号データを、コントローラｃに送信するようそのコントローラｃに送信回線で接続させてあること、そして、コントローラｃには、散布作業の開始時に、散布装置４が先に作動を開始しその後に床コンベア３の作動が開始されるように散布装置４の作動と床コンベア３の作動とを制御するために、散布装置４のビータ軸４０が正常に作動するのに必要な最低の回転数を閾値とする設定閾値Ｎ３が、該コントローラｃに組み込まれたマイコンに設定され、また、この設定閾値Ｎ３と回転センサＳ２で検出されてくるビータ軸４０の検出回転数Ｎ２とを比較監視し、検出回転数Ｎ２が設定閾値Ｎ３より大きいＮ２＞Ｎ３となったときにそれを判断確認してマイコンに組み込まれたプログラムに電磁弁ｓｖが油圧回路を開とする位置に作動するよう指令する比較回路が組み込まれることについては、前述の実施例２のものと同様である。
【００４６】
さらに、コントローラｃのマイコンには、散布作業中にシェアボルト６が切断されて散布装置４のビータ軸４０の回転作動が停止した際、散布装置４のビータ軸４０の回転作動が完全に停止する前に、床コンベア３の送り作動の停止が行われるように制御するため、動力伝達軸５とビータ軸４０とが正常に作動して回転している状態において、回転センサＳ１で検出される動力伝達軸５の検出回転数Ｎ１と回転センサＳ２で検出されるビータ軸４０の検出回転数Ｎ２との差Ｘが回転センサ比較設定値Ｘとして設定されること、そして、この設定された回転センサ比較設定値Ｘと、回転センサＮ１で検出される動力伝達軸５の検出回転数Ｎ１に対する回転センサＳ２により検出されるビータ軸４０の検出回転数Ｎ２との差（Ｎ１−Ｎ２）とを、比較監視し、検出回転数Ｎ１と検出回転数Ｎ２との差が回転センサ比較設定値Ｘより大きくなったことを判断確認したときに、マイコンプログラムに電磁弁ｓｖが油圧回路を閉とする位置に作動するよう指令する比較回路が組み込まれることについても、前述の実施例２のものと同様である。
【００４７】
しかして、上述した如く、第２の実施例のものと同様に構成してあるこのマニアスプレッダにおける床コンベアと散布装置の制御手段には、以下に記載する手段が組み込み装備される。
【００４８】
制御ボックスｂ内に組み込まれた油圧モータＭの作動を制御する油圧回路Ｕに、その油圧回路Ｕを開・閉するよう設ける電磁弁ｓｖには、油圧回路Ｕを閉として油圧モータＭに対する圧油の流れを遮断する中立位置と、油圧回路Ｕを開として油圧モータＭに対し圧油を正方向に流し油圧モータＭを正転作動させる正転位置とに切り換え作動させる電磁弁ｓｖと、油圧回路Ｕを閉とする中立位置と油圧モータＭに対する圧油の流れを逆方向として油圧モータＭを逆転作動させる逆転位置とに切り換え作動させる電磁弁ｓｖ２とが装備される。そしてこれら電磁弁ｓｖ１と電磁弁ｓｖ２は、コントローラｃからの指令信号によりそれぞれ作動するようコントローラｃに接続させてある。
【００４９】
また、コントローラｃのマイコンに組み込まれたマイコンプログラムには、回転センサＳ１で検出される動力伝達軸５の検出回転数Ｎ１と回転センサＳ２で検出されるビータ軸４０の検出回転数Ｎ２’との差と、マイコンに設定した回転センサ比較設定値Ｘとの比較回路による比較監視で、差（Ｎ１−Ｎ２’）が回転センサ比較設定値Ｘより大きくなった（（Ｎ１−Ｎ２’）＞Ｘ）ことが確認されたときの指令によるプログラムの作動で、油圧回路Ｕを閉とする中立位置に作動した電磁弁ｓｖを、一定時間逆転位置に作動させた後中立位置に戻すタイマー回路が組み込まれる。このマイコンプログラムに組み込むタイマー回路に設定する一定時間は、数秒の範囲の短い時間である。
【００５０】
このように構成しているこの実施例のマニアスプレッダにおける散布装置と床コンベアの制御装置は、散布作業中にシェアボルトが切断して、散布装置の作動が停止する異常事態が起きたとき、散布装置の作動が完全に停止する前に、床コンベアの送り作動が自動的に停止するようになるが、停止するとき短い時間だけ逆転回動し、その後に停止するようになることから、停止したときに、堆肥などが散布装置の前面から引き離された状態となるので、再起動するときに、散布装置の前面に詰まった堆肥を取り除く作業が不要となり、再起動の際に行う処理作業を容易にする。
【符号の説明】
【００５１】
Ａ    堆肥散布機
Ｇ    減速比
Ｌ    作動部材
Ｎ１  動力伝達軸の検出回転数
Ｎ２  ビータ軸の検出回転数
Ｎ２’ビータ軸の演算回転数
Ｎ３  閾値
Ｍ    油圧モータ
Ｐ    揺動支点
Ｓ    センサ
Ｓ１  動力伝達軸の回転数を検出する回転センサ
Ｓ２  ビータ軸の回転数を検出する回転センサ
Ｔ    トラクタ
Ｕ    油圧回路
Ｘ    比較設定値
ａ    油圧ホース
ｂ    油圧制御ボックス
ｃ    油圧コントローラ
ｋ    ミッション部
ｓｖ  ｓｖ１  ｓｖ２  電磁弁
ｖ    油圧作動弁
ｗ    角度感知ワイヤー
１    機体
１０    走行輪
１１    連結器
２    荷箱
２０    床板
３    床コンベア
３ａ  コンベアベルト
３０    スプロケット
４    散布装置
４ａ  機枠
４０    ビータ軸
４１    ビータ
５    動力伝達軸
５０    自在軸継手
５ａ    入力軸
６    シェアボルト
【図１】
0006042063.tif 000002
【図２】
0006042063.tif 000003
【図３】
0006042063.tif 000004
【図４】
0006042063.tif 000005
【図５】
0006042063.tif 000006
【図６】
0006042063.tif 000007
【図７】
0006042063.tif 000008
【図８】
0006042063.tif 000009
【図９】
0006042063.tif 000010
【図１０】
0006042063.tif 000011
【図１１】
0006042063.tif 000012
【図１２】
0006042063.tif 000013
【図１３】
0006042063.tif 000014
【図１４】
0006042063.tif 000015
【図１５】
0006042063.tif 000016
【図１６】
0006042063.tif 000017
【図１７】
0006042063.tif 000018
【図１８】
0006042063.tif 000019
【図１９】
0006042063.tif 000020
【図２０】
0006042063.tif 000021
【図２１】
0006042063.tif 000022
【図２２】
0006042063.tif 000023
【図２３】
0006042063.tif 000024
【図２４】
0006042063.tif 000025
【図２５】
0006042063.tif 000026
【図２６】
0006042063.tif 000027
【図２７】
0006042063.tif 000028
【図２８】
0006042063.tif 000029